(57)【要約】      （修正有）【課題】靴紐などの蝶々結びを解けなくする蝶々結びキーパーを提供する。【解決方法】横幅２〜４ｃｍの板状のコ字状の上段１の中程を下へ曲げた形を有し、横幅６〜１３ｍｍのＤ字状の形を左へ回転した半円の上段７の左を１／４カットした形を有し、そのＤ字状のカットした部分をコ字状の上下段と縦の接続部の横幅の中央部に当てて押し込む圧力でコ字状の上段が下がり下段に接合し、更に元に引くと上段が開くので紐の蝶々結び目を中に挟んで固定できる。又Ｄ字状の先端付近の上側、及びコ字状の上段の先端部の上側や上側の外側に指引っかけ式横溝を入れた三角形、台形、正方形、長方形、楕円形、１／３の円形〜円形の突起物、出っ張りの形、又は模様を付けたプレート板にして開閉の操作を容易にして、コ字状の上段、又は下段の中側の中央部に無数の突起物を凹状に付けておくことにより、紐の蝶々結び目を密接に固定できる蝶々結びキーパー。【選択図】図１
0003233826.tif 000002
【実用新案登録請求の範囲】
【請求項１】
ズボン、スカートなどを吊るして展示するためのプラスチック製のボトムハンガー、ソフトタッチの両端に付けてあるクリップの変形であって、横幅２〜４ｃｍの板状で、カタカナのコ字状の形で、上下段とそれを接続する片方の縦の接続部で構成して、上段の中程を少し下へ曲げた形を有し、別途にアルファベットのＤ字状を左へ回転し、半円のアーチ状の上段の左側を１／４カットした形で、コ字状の横幅の１／３の６〜１３ｍｍの形のＤ字状の部材を有して、そのＤ字状のカットした部分をコ字状の上段、下段と縦の接続部の横幅の中央部にかぶせて強引にはめ込み、引き戻す操作により、上からのＤ字状の圧力により、コ字状の上段の先端が下がり下段に接合する、又、Ｄ字状を引き戻すとコ字状の上段が元に戻り開く形になり、上段と下段の間に紐の蝶々結び目を挟みこんで固定をすることができる、Ｄ字状のカットした部材をコ字状の部材の上下段にかぶせて、押し込み、引き戻すピストン操作をする時に横ぶれが生ずるのを避けるために、コ字状の上下段の横幅の中央部にＤ字状の横幅より大き目の幅の掘りこみ溝と両側に小さな堤を有して、スムーズにピストン運動ができるようにして、更に、Ｄ字状をカットした部材の下段は上段より長い長さにして、下段の先端の下側にはストッパーになる三角形、又は長方形の突起物を付けておき、一方、コ字状の下段で縦の接続部に近い位置に空洞の四角形、又は長方形の枠を付けておき、その枠の中へストッパーになる突起物を先端にした下段を入れこんでおくことにより、Ｄ字状が枠とストッパーの突起物により外れなくして、更に、Ｄ字状の上段の先端部の付近の上側には指を引っかけるための横溝を入れた直角不等辺三角形の左向き、右向き、又は、不等辺三角形の左向き、右向き、又は直角不等辺台形の左向き、右向き、又は正方形、又は長方形、又は大きなリボンの形、又はイラストや模様付きプレート板の引っかけ式の突起物状、又は板状にしておく、更にコ字状の上段の先端部の付近の上側の両サイド部の外側には指を引っかけるための直角不等辺三角形の左向き、右向き、又は不等辺三角形の左向き、右向き、又は直角不等辺台形の左向き、右向き、又は正方形、又は長方形、又は楕円形、又は  １／３の円形〜円形、又は円形、又はハート形の出っ張りの形状にしておく、又は上段の先端部の付近の上側や上側の両サイド部から外側の位置にかけての部分には直角不等辺三角形の左向き、右向き、又は不等辺三角形の左向き、右向き、又は直角不等辺台形の左向き、右向き、又は正方形、又は長方形、又は楕円形、又は１／３の円形〜円形、又は円形、又は１／３の円球形〜円球形、又はハート形、又はハート形の上辺を左右に広げた形、又はＩ字横板状型の形、又はＴ字横板状型の形、又は星の形、又はサクランボの形、又はウサギの形、又はハートのアート連携の形の指引っかけ式の突起物状や板状にしておくことにより、Ｄ字状を強引にはめ込み、引き戻すなどの開閉する指の操作が容易にできるようにして、更に、コ字状の中側の中央部の上段の下側、又は下段の上側に無数の突起物を整数的に、又はランダムにつけておき、その長さは紐の結び目がくる２〜３重の中央部は短く、紐が１〜２重の周辺部は長くしておいて、凹状、又は皿状の形���に付けておくことにより、紐の蝶々結び目をきっちりと固定して解けなくすることを特徴とする、蝶々結びキーパー。
【請求項２】
ズボン、スカートなどを吊るして展示するためのプラスチック製のボトムハンガー、ソフトタッチの両側に付けてあるクリップの変形であって、横幅２〜４ｃｍの板状で、カタカナのコ字状の形で、上下段とそれを接続する片方の縦の接続部で構成して、上段の中程を少し下へ曲げた形を有し、別途にアルファベットのＤ字状を左へ回転し、半円のアーチ状の上段の左側を１／４カットした形で、コ字状の横幅の１／３の６〜１３ｍｍの形のＤ字状の部材を有して、そのＤ字状のカットした部分をコ字状の上段、下段と縦の接続部の横幅の中央部にかぶせて強引にはめ込み、引き戻す操作により、上からのＤ字状の圧力により、コ字状の上段の先端が下がり下段に接合する、又、Ｄ字状を引き戻すとコ字状の上段が元に戻り開く形となり、上段と下段の間に紐の蝶々結び目を挟みこんで固定をすることができる、Ｄ字状のカットした部材をコ字状の部材の上下段にかぶせて、押し込み、引き戻すピストン操作をする時に横ぶれが生ずるのを避けるために、コ字状の上下段の横幅の中央部にＤ字状の横幅より大き目の幅の掘りこみ溝と両側に小さな堤を有して、スムーズにピストン運動ができるようにして、更に、Ｄ字状をカットした部材の下段は上段より長い長さにして、下段の先端の下側にはストッパーになる三角形、又は長方形の突起物を付けておき、一方、コ字状の下段で縦の接続部に近い位置に空洞の四角形、又は長方形の枠を付けておき、その枠の中へストッパーになる突起物を先端にした下段を入れ込んでおくことにより、Ｄ字状が枠とストッパーの突起物により外れなくして、  更に、Ｄ字状の上段の先端部の付近の上側には指を引っかけるためのイラストや模様を付けたプレート板の基板を有して、その基板に別のイラストや模様付きのプレート板を重ねて別の模様にできる方法にして、その方法は  ▲１▼丸穴をストッパー付丸棒に入れる方法、▲２▼周辺を凸凹型で止める方法、▲３▼ネジ頭型の凹型にネジ頭型の凸型を差し込んで接続する方法などであり、更に、コ字状の上段の先端部の付近の上側の両サイド部の外側には指を引っかけるための直角不等辺三角形の左向き、右向き、又は不等辺三角形の左向き、右向き、又は直角不等辺台形の左向き、右向き、又は正方形、又は長方形、又は楕円形、又は１／３の円形〜円形、又は円形、又はハート形の出っ張りの形状にしておく、又はコ字状の上段の先端部の付近の上側や上側の両側部から外側の位置にかけての部分には直角不等辺三角形の左向き、右向き、又は不等辺三角形の左向き、右向き、又は直角不等辺台形の左向き、右向き、又は正方形、又は長方形、又は楕円形、又は１／３の円形〜円形、又は円形、又は１／３の円球形〜円球形、又はＩ字横板状型の形、又はＴ字横板状型の形の指引っかけ式の突起物状や板状にしておくことにより、Ｄ字状を強引にはめ込み、引き戻すなどの開閉する指の操作が容易にできるようにして、更に、コ字状の中側の中央部の上段の下側、又は下段の上側に無数の突起物を整数的に、又はランダムにつけておき、その長さは紐の結び目がくる２〜３重の中央部は短く、紐が１〜２重の周辺部は長くしておいて、凹状、又は皿状の形状に付けておくことにより、紐の蝶々結び目をきっちりと固定して解けなくするこ��を特徴とする、蝶々結びキーパー。
【考案の詳細な説明】
【技術分野】
【０００１】  靴紐や前掛けなどの紐の蝶々結びが解けてくるのを防ぐことに関することである。
【背景技術】
【０００２】  紐の蝶々結びが解けにくくする、解けなくするものは存在する。
【先行技術】
【０００３】  次のように存在する。
１、ゴム製のひもに一定間隔に丸〈コブ〉をつくった靴紐。コブが靴穴に引っかかる
２、（ＤＹＺＤ）コードストッパー；紐止め、筒型、樽型；紐を通す穴が一つ、又は二つあり、筒型及び，樽型であり、その中へ挿入できるもう一つの小さい筒型、及び樽型を挿入しておくことにより、紐を通すとねじれて、解けなくなる。  紐を通してから中駒を挿入構造のため、紐通しが簡単であり、二本紐用で、紐を通してから中駒を挿入する構造のため、紐通しが簡単である。  穴径  約２．５ミリ〜６ミリ。
３、Ｖｉｎｅｓ  結ばないシューレース；新感覚の結ばないシューレース。ストッパーがシューレースに編み込まれているため、靴紐を結ばなくても固定される。コブ形状ではないため，シューズの見た目のデザインを損なわない。補強リングつき。
４、絶対に解けない靴紐の結び方「イアンノット、Ｉａｎｋｏｔ」；蝶々結びの二回まわし  （１）上側のリボンを手前に回して、中心を巻きます。この時右側にはループが二つ、左側にはループが一つできる位置が中心となります。（２）手前に回したリボンを、そのまま後ろに持っていき、ループを作りながら、間を通してゆく。
５、ゴムヒモ  スプリング  コードストッパー；二つ穴、二本の紐用、丸形、穴径  約６ミリ
６、靴紐自動で閉まるシューズ；（メーカー；ナイキ）「ハイパーアダプト１．０」
７、商品名；キャタピラン、結ばなくても靴が脱げない、紐に等間隔でついているコブが靴穴に引っかかるために抜けない、従来の紐はゆるめるか、きつく締めるかの二拓だった、しかし、これはコブ一つ一つをずらせば、一つ単位で調整可能である。走っている最中に結び目が緩むので結び直す面倒がなく、靴紐を踏んで転ぶリスクは皆無である。
８、「靴紐クリップ」の名称で靴ひもを解けなくする防止グッズ；靴紐に挟んでブロックする楕円形のクリップ、販売会社；ソレナーＫＫ。
【考案の概要】
【０００４】  ボトムハンガーのソフトタッチに付けてあるクリップの変形であって、コ字状の上段の中程を下へ曲げた板状の形を有して、更にアルファベットのＤ（デイ）の形を左へ回転して半円をつくり、上段の左側を１／４カットした形で横幅はコ字状の１／３を有して、そのＤ字状をコ字状の縦の接続部の横幅の中央部に上横、及び横からかぶせて押し込む圧力でコ字状の上段の先端部が下がり、下段に接合し、更に元へ引くと、コ字状の上段が戻り開く、その上段と下段の間に紐の蝶々結び目を入れて挟んで固定することができる。更にコ字状の上段、又は下段の中央部の内側に、突起物を整数的に、又はランダムにして、突起物の長さは紐の結び目がくる中央部は２〜３重と厚いので短くして、その周辺部の紐は１〜２重で薄いので少し長い目の長さに付けておき凹状、又は皿状に付けておくことにより、紐をより密着させて固定をすることができる。又Ｄ字状の上段の先端部の付近の上側には指を引っかけるための横溝を入れたいろいろな三角形、又は台形、又は正方形、又は長方形、又は大きなリボンの形の指引っかけ式の突起物状、又はイラストや模様を付けたプレート板状や交換式のプレート板状にしておく。更にコ字状の上段の先端部の付近の上側の両サイド部の外側には指を引っかけるためのいろいろな三角形、又は台形、又は正方形、又は長方形、又は楕円形、又は１／３の円形〜円状、又は円形、又はハート形の出っ張りの形状にしておく、又はコ字状の上段の先端部の付近の上側や上側の両サイド部から外側の位置にかけての部分にはいろいろな三角形、又は正方形、又は長方形、又は楕円形、又は１／３の円形〜円形、又は１／３の円球形〜円球形、又はハート形、又はハート形の上辺を左右に広げた形、又はＩ字横板状型の形、又はＴ字横板状型の形、又は星の形、又はサクランボの形、又はウサギの形、又はハートのアート連携の形の指引っかけ式の突起物状や板状にしておくことにより、Ｄ字状の入れ込み、引き戻しの操作が容易にできることを特徴とする、蝶々結びキーパー。
【考案が解決しようとする課題】
【０００５】  靴紐や前掛けなどの紐の蝶々結びが時々緩んできて解けそうになるので困る。靴が脱げる、前掛けが落ちるようになるので、紐の結び目を解けなくしたい。
【考案を解決するための手段】
【０００６】  ズボン、スカート、パンツなどを吊るして展示するプラスチック製のボトムハンガー、ソフトタッチの両端に付けてあるクリップの変形であって、それは板状で横幅２０ｍｍ〜４０ｍｍのカタカナのコ字状の形の部材（縦×横×高さ×厚み）、（３０×２０×１２×１ｍｍ）〜（３３×４２×１５×１．５ｍｍ）とアルファベットのＤ（デイ）の文字を左へ回転して半円のアーチ状をつくり、上段の左下を四分の一カットした形の、横幅６〜１３ｍｍの部材（縦×横×高さ×厚み）、（３０×６×１５×３ｍｍ）〜（３５×１２×２０×３．３ｍｍ）を有して構成する。  コ字状の部材は上段と下段とそれを支える縦の支柱である接続部分の材質は、合成樹脂製のポリエチレンテレフタート（ＰＥＴ）であり、その材質の特性である柔軟性の粘りと反発するＰＥＴの材質を生かして上段と下段は７０〜１１０度に開く、バネを有する材質の上、下段と縦の接続部を設ける。コ字状の部材の上段と下段が閉じた時はきっちりと合わさるように、上段の中程を下へ曲げた形にしておく、更に、下段の先端の上側は、先端から細くして三角形になる傾斜にして、上段の傾斜に合うようにしておく。更に、上段と下段の先端部分の形状は緩やかなＵ状のカーブの形を有し、一方、上記のアルファベットのＤ字状の材質は合成樹脂製のポリエチレンテレフタートであり、その部材の下段は上段より少し長い目にしておき、下段の先端の下側はストッパーになる三角形、又は長方形の突起物を下側に付けておく、一方、コ字状の下段部分の接続部分に近い位置にＤ字状の部材の下段が入る空洞の四角形、又は長方形の枠を付けておいて、その中へＤ字状の下段を中へ入れこんでおくことにより、先端の下側に付けたストッパーになる下向きの三角形、又は長方形の突起物と枠により外れなくして開閉のピストン操作がスムーズにできる。又、Ｄ字状の部材の上、下段の横幅は板状のコ字状の幅の三分の一であり、コ字状の部材の上下、及び接続部の中央部に配置して、Ｄ字状の部材の上段、下段が動くコ字状の上段、下段、接続部の中央部にはＤ字状の横幅より少し大き目の幅の掘りこみ溝とその両側に小さな堤を作っておくことにより、Ｄ字状が横ぶれせずにスムーズにまっすぐにピストン操作ができるようにする、更に、板状のコ状の上段の下側、又は下段の中心部の上側にはシャンプーブラシ状の突起物を整数的に、又はランダムに付けておく。紐の結び目がくる中央部の突起物は紐の結び目の２〜３重であるので突起物の長さを短くして、周辺部は１〜２重であるので長くしておき、凹状、又はお皿状の形にしておくことで紐の蝶々結び目をきっちりと抑え込んで固定ができるようにする。  更に、Ｄ字状のカットした部分をコ字状の支柱である接続部分にかぶせて押し込む、引き戻すことにより、下にあるコ字状の上段の先端がＤ字状の上からの圧力により下がり、下段に接合する。更に、引いて元に戻すとまた開くことになる。それにより、新たなストッパーを付けなくても紐の蝶々結び目を挟んで固定をすることができる。  更に、Ｄ字状の左上を開けた部材の出し入れである入れこみと引き出し操作はこすりの抵抗があり、硬くて動かしにくいので、より操作が簡単にできるようにＤ字状の部材の上段の先端部分の付近の上側に指���当る部分で指を引っかけるための横溝を入れた直角不等辺三角形の左向き、右向き、又は不等辺三角形の左向き、右向き、又は直角不等辺台形の左向き、右向き、又は正方形、又は長方形、又は大きなリボンの形の指引っかけ式の突起物状にしておく、又はイラストや模様を付けたプレート板状にしておく。そのイラストと模様はお花１、お花２、バラ、王冠、クマ、星、車、葉、リボン、シェル、怪獣、リンゴ、木、などである。又、イラストや模様付きのイラスト板を交換できるようにする。その方法は▲１▼  丸穴に丸棒を差し込む方法（ストッパー付の丸棒（基板になるプレート板）とそれに差し込む丸穴（模様付きのプレート板）での接続方式）▲２▼  基板と模様付きのプレート板の周辺の凹型に凸型を差し込んで接続する方法  （基板になるプレート板の周辺の縦方向の両側と縦や横方向の両側を凹型、又は凸型にして、模様付きのプレート板の周辺を凸型、又は凹型にして差し込む方法）▲３▼ビス頭型の凹型にビス頭型の凸型を差し込んで接続する方法（ビス頭型の凹型、又は凸型の穴を基板の周辺に付けておいて、ビス頭型の凸型、又は凹型の突起を付けた模様付きのプレート板を入れて接続する方法）  等である。なお、模様付きのプレート板はポリプロピレン製で基板はポリエチレン製などの合成樹脂で造る。更にコ字状の上段の先端部の付近の上側の両サイド部の外側には指を引っかけるための直角不等辺三角形の左向き、右向き、又は不等辺三角形の左向き、右向き、又は直角不等辺台形の左向き、右向き、又は正方形、又は長方形、又は楕円形、又は１／３の円形〜円形、又は円形、又はハート形の出っ張りなどの形状、又はコ字状の上段の先端部の上側や上側の両サイド部から外側の位置にかけての部分には直角不等辺三角形の左向き、右向き、又は不等辺三角形の左向き、右向き、又は直角不等辺台形の左向き、右向き、又は正方形、又は長方形、又は楕円形、又は１／３の円形〜円形、又は円形、又は１／３の円球形〜円球形、又はハート形、又はハート形の上辺を左右に広げた形、又はＩ字横板状型の形、又はＴ字横板状型の形、又は星の形、又はサクランボの形、又はウサギの形、またはハートのアート連携の形の突起物状や板状にしておくことにより、Ｄ字状の入れ込み、引き戻しの操作が指の力の弱い人でも簡単に操作ができるようになることを特徴とする、蝶々結びキーパー。
【考案の効果】
【０００７】  本考案を靴紐や前掛けの紐の蝶々結び目に取り付けておくと紐が解けなくなるので、安心して散歩、通勤、通学や仕事をすることができる。また、本考案を素敵な色彩やデザインをすることにより、毎日の生活を豊かにして、楽しむことができる。
【図面の簡単な説明】
【０００８】
【図１】正面図  ▲１▼開けた図  ▲２▼閉じた図
【図２】側面図  ▲１▼開けた図  左  右  ▲２▼閉じた図  左  右
【図３】上からの図  ▲１▼開けた図  ▲２▼閉じた図
【図４】下からの図  ▲１▼開けた図  ▲２▼閉じた図
【図５】靴紐に付けた図  ▲１▼紐の蝶々結びに付けた図  ▲２▼靴紐に付けた図
【図６】前掛けに付けた図
【図７】Ｄ字状の上段の先端部分の付近の上側の指引っかけ式の突起物と下段の先端部分のストッパー；側面図、平面図  １）上段の先端付近の部分（上向き）；▲１▼直角不等辺三角形の左向き、右向き  ▲２▼不等辺三角形の左向き、右向き  ▲３▼直角不等辺台形の左向き、右向き  ▲４▼正方形  ▲５▼長方形  ▲６▼大きなリボン  ２）下段の先端部分のストッパー（下向き）；▲１▼三角形  ▲２▼長方形
【図８】コ字状の上段の先端部の両サイド部の出っ張りの形状と先端部の上側や上側の両サイド部から外側の位置にかけての部分の突起物状や板状；面図、平面図  １）上段の先端部分の上側の両サイド部の外側の出っ張りの形状；▲１▼直角不等辺三角形の左向き、右向き、▲２▼不等辺三角形の左向き、右向き、▲３▼直角不等辺台形の左向き、右向き、▲４▼正方形、▲５▼長方形、▲６▼楕円形の縦向き、横向き、▲７▼１／３の円形〜円形、▲８▼１／３の円球形〜円球形、▲９▼ハート形  ２）上段の先端部分の上側や上側の両サイド部から外側の位置にかけての部分の突起物状や板状；▲１▼直角不等辺三角形の左向き、右向き、▲２▼不等辺三角形の左向き、右向き、▲３▼直角不等辺台形の左向き、右向き、▲４▼正方形、▲５▼長方形、▲６▼楕円形の縦向き、横向き、▲７▼１／３の円形〜円形の縦向き、横向き、▲８▼円形、▲９▼１／３の円球形〜円球形  ▲１０▼ハート形  ▲１１▼ハート形の上辺を左右に広げた形、▲１２▼Ｉ字横板状型の形、▲１３▼Ｔ字横板状型の形、▲１４▼星の形、▲１５▼サクランボの形、▲１６▼ウサギの形、▲１７▼ハートのアート連携
【図９】Ｄ字状の上段に付けるイラストや模様付きのプレート板  １）イラストや模様付きのプレート板  ▲１▼お花１、▲２▼お花２、▲３▼バラ、▲４▼王冠、▲５▼クマ、▲６▼星、▲７▼車、▲８▼葉、▲９▼リボン  ▲１０▼シェル、▲１１▼怪獣、▲１２▼リンゴ、▲１３▼木  ２）イラストや模様付きのプレート板を交換する方法、斜め図、断面図  ▲１▼ストッパー付の丸棒（基板になるプレート板）に丸穴（模様付きのプレート板）を差し込む方法、▲２▼基板になるプレート板と模様付きのプレート板の周辺に付けた凸凹で止める方法  ▲３▼ビス頭型の凹型、又は凸型の基板になるプレート板にビス頭型の凸型、又は凹型の模様付きのプレート板にして、差し込んで接続する方法
【符号の説明】
【０００９】１、コ字状の上段
２、コ字状の下段
３、コ字状の縦の接続部の支柱
４、コ字状の上段の先端の下がる部分
５、コ字状の下段の先端部分
６、コ字状の下段の四角形、又は長方形の空洞の枠
７、Ｄ字状の上段
８、Ｄ字状の下段
９、掘りこみ溝の堤
１０、  掘りこみ溝
１１、  Ｄ字状の下段の先端
１２、  シャンプーブラシ状の低い突起物（中心部）
１３、  シャンプーブラシ状の中、高い突起物（周辺部）
１４、  紐の蝶々結びの蝶々部（輪部）
１５、  紐
１６、  靴紐の穴
１７、  前掛け
１８、  人間の足
１９、  指を引っかけるための横溝
２０、Ｄ字状の上段の先端部の指引っかけ式の突起物
２０−１  直角不等辺三角形の左向き、２０−２  直角不等辺三角形の右向き、２０−３  不等辺三角形の左向き、２０−４  不等辺三角形の右向き、２０−５  直角不等辺台形の左向き、２０−６  直角不等辺台形の右向き、２０−７  正方形、２０−８長方形、２０−９  大きなリボン
２１、コ字状の上段の先端部分の両サイド部の外側の指を引っかけるための出っ張りの形状；
２１−１  直角不等辺三角形の左向き、２１−２  直角不等辺三角形の右向き、２１−３  不等辺三角形の左向き、２１−４  不等辺三角形の右向き、２１−５  直角不等辺台形の左向き、２１−６  直角不等辺台形の右向き、２１−７  正方形、２１−８  長方形、２１−９  楕円形、２１−１０  １／３の円形〜円形、２１−１１  円形、２１−１２  ハート形
２２、コ字状の上段の先端部分の上側や上側の両サイド部から外側の位置にかけての部分の指引っかけ式の突起物状や板状；
２２−１  直角不等辺三角形の左向き、２２−２  直角不等辺三角の右向き、２２−３  不等辺三角形の左向き、２２−４  不等辺三角形の右向き、２２−５  直角不等辺台形の左向き、２２−６  直角不等辺台形の右向き、２２−７  正方形、２２−８  長方形、２２−９  楕円形、２２−１０  １／３の円形〜円形、２２−１１  １／３の円球形〜円球形、２２−１２  １／３の円球形〜円球形、２２−１３  ハート形、２２−１４  ハートの上辺を左右に広げた形、２２−１５  Ｉ字横板状型の形、２２−１６  Ｔ字横板状型の形、２２−１７  星の形、２２−１８  サクランボの形、２２−１９  ウサギの形、２２−２０  ハートのアート連携、
２３、Ｄ字状の下段の下側の先端部分のストッパー
２３−１  三角形、２３−２  長方形、
２４、Ｄ字状の上段に付けるイラストや模様付きのプレート板
２４―１お花１、２４―２お花２，２４−３バラ、２４―４王冠、２４−５クマ、２４―６星、２４−７車、２４−８葉、２４―９リボン、２４−１０シェル、２４−１１怪獣、２４−１２リンゴ、２４−１３木、
２５、イラストや模様付きのプレート板の交換方法
２５−１  ストッパー付の丸棒に丸穴を差し込む方法、２５−２  周辺を凸凹式で止める方法、２５−３  ビス頭型の凹型にビス頭型の凸型を差し込んで接続する方法、２５−４  ストッパー付の丸棒、２５−５  周辺の凸型、２５−６  周辺の凹型、２５−７ビス頭型の凸型、２５−８  ビス頭型の凹型
【考案を実施するための形態】
【００１０】次の順序で実施する。
１、本考案のＤ字状の部材をコ字状の部材から引き出して、コ字状の部材の上段と下段を開く
２、開けたコ字状の部材の上段と下段の間を靴紐や前掛けの紐の蝶々結びの中心部に差し込む。
３、紐の蝶々結び目の中心部が上段と下段の中心部にくるようにセットをする。
４、紐の蝶々結び目の中心部が上段と下段の中央部に配置になっているのかを確認して上段と下段を合わせる。
５、Ｄ字状の部材をコ字状の部材に押し込んで固定をする。
６、靴を履いて通勤、通学、散歩をする。又前掛けをかけて仕事をする。
７、本考案の色を靴や前掛けの色に合わせて楽しむ、又、イラストや模様付きのプレート板に変えて楽しむ。
【産業上の利用可能性】
【００１１】  靴紐や前掛けなど、いろいろなところで結ぶ蝶々結びなどの紐は激しい動きなどで解けてくるときがある。通勤、通学、散歩や作業中などで急に締め直す動作が必要となる。面倒な動作をせずに済む事ができればストレスのない快適な生活の日々を送ることに寄与する。
【図１】
0003233826.tif 000003
【図２】
0003233826.tif 000004
【図３】
0003233826.tif 000005
【図４】
0003233826.tif 000006
【図５】
0003233826.tif 000007
【図６】
0003233826.tif 000008
【図７ａ】
0003233826.tif 000009
【図７ｂ】
0003233826.tif 000010
【図８ａ】
0003233826.tif 000011
【図８ｂ】
0003233826.tif 000012
【図８ｃ】
0003233826.tif 000013
【図８ｄ】
0003233826.tif 000014
【図９ａ】
0003233826.tif 000015
【図９ｂ】
0003233826.tif 000016